(57)【特許請求の範囲】
【請求項１】
遊技盤の遊技領域に、開口部を有する装飾部材が配設され、この装飾部材における開口部の上側に位置する上辺部に可動演出装置が配設される遊技機において、
前記装飾部材は、前記上辺部に前方へ開口する第１収容部と、該第１収容部の側部に形成されて画壁により画成される第２収容部と、前記画壁に形成された規制部とを備え、
前記可動演出装置は、
前記第２収容部に配設されて、モータ制御手段の制御下に駆動されるモータと、
前記第２収容部に配設されて、前記モータにより回転される作動部材と、
前記作動部材に設けられ、該作動部材の回転に伴って周回移動する第１係合部と、
前記装飾部材に上下に揺動するよう枢支された連結部材と、
前記第１収容部内に収容され、前記連結部材の前端部に接続する可動体と、
前記連結部材に突設され、端部が第１係合部の周回領域に臨み、周回する第１係合部が下方から当接すると共に第１係合部から係合解除される第２係合部と、
前記可動体に設けられ、前記規制部に当接可能な突起とを備え、
前記第２係合部が第１係合部から係合解除された際に、前記規制部に突起が当接する落下位置まで前記可動体が自重落下するよう構成される
ことを特徴とする遊技機。
【請求項２】
前記装飾部材の開口部には、遊技盤の裏側に配設した図柄表示装置の表示部が臨むと共に、前記第１収容部は下方に開口し、
略矩形状に形成された前記可動体は、前記第１係合部と第２係合部との係合状態で最も上昇した上昇位置では前記表示部より上方に位置すると共に、該可動体の上部に設けられた前記突起が前記規制部に当接した落下位置では前記表示部の前側に臨むよう構成される請求項１記載の遊技機。
【請求項３】
前記第１係合部と第２係合部との係合状態で前記可動体が最も上昇した上昇位置では、該可動体の後方に配置された発光手段の前側を覆い、前記可動体が落下位置まで落下したときに前記発光手段の前側を覆わなくなるよう構成される請求項１または２記載の遊技機。
【請求項４】
前記モータ制御手段は、前記第１係合部と第２係合部との係合状態において、前記モータを正逆回転するよう制御する請求項１〜３の何れか一項に記載の遊技機。
【発明の詳細な説明】
【技術分野】
【０００１】
この発明は、遊技領域に配設した装飾部材に、上下方向に移動する可動体を備える可動演出装置を配設した遊技機に関するものである。
【背景技術】
【０００２】
代表的な遊技機であるパチンコ機は、機内にセットされる遊技盤の盤面に画成した遊技領域の略中央位置に大型の装飾部材(以後、センター役物と称す)が配設され、該センター役物に形成した開口部に、機裏側に配設した液晶式やドラム式等の図柄表示装置の表示部を臨ませ、この図柄表示装置で図柄組み合わせゲームやリーチ演出等の主たる遊技演出を行なうようになっている。また前記センター役物に、所要の動作を行なう可動体を備えた可動演出装置を配設し、該可動体を前記図柄表示装置で行なわれる遊技演出に合わせて動作させることにより、視覚的な演出効果を向上させ、遊技の興趣を一層増大するようにしたパチンコ機が知られている(例えば、特許文献１参照)。
【０００３】
特許文献１の可動演出装置では、センター役物に配設したベース部材の前側に可動体が上下動可能に配設されると共に、該ベース部材の後方に、モータにより回転駆動される回転板が配設されている。また、ベース部材に回動自在に配設されたアームの前端が可動体に連繋されると共に、前記回転板には、アームの後端に係合可能な操作片が設けられている。そして、アームと操作片とが係合して可動体が上昇位置に臨む状態で、モータにより回転板を所定方向に回転することでアームと操作片との係合状態が解除されたときに、ベース部材に案内されて可動体が自重によって下降位置まで落下するよう構成されている。また、回転を継続する回転板の操作片が再びアームに係合することで、該回転板の回転に伴って可動体が上昇位置まで上昇するようになっている。
【特許文献１】特開２００７−１４４０８号公報
【発明の開示】
【発明が解決しようとする課題】
【０００４】
パチンコ機においては、前面側に取付けられる保護ガラスと遊技盤の盤面との間の離間寸法は、パチンコ球との関係から一定の範囲に制限されているため、前記センター役物の前端および該センター役物に配設される可動体の前端の限界位置も規制されている。従って、特許文献１の可動演出装置のように可動体の後方位置に、該可動体を案内したり下降位置を規定する手段(ガイド部)および可動体を移動する回転板やモータが配置される構成では、可動演出装置の後方への突出量が大きくなる。このため、遊技盤の後側に、可動演出装置を配置するための前後に大きなスペースを確保しなければならず、遊技盤の裏側に配設される各種の制御装置やその他の部品の配設位置が制限される難点を招く。
【０００５】
また近年のパチンコ機は、ゲーム性の興趣を向上すべく、前記図柄表示装置を大型化する傾向が高まっており、これに伴い各制御装置も大型化する現状では、前記可動演出装置を配置するスペースを遊技盤の裏側に確保することが困難な状況となっている。
【０００６】
すなわち本発明は、従来の技術に係る遊技機に内在する前記課題に鑑み、これを好適に解決するべく提案されたものであって、可動演出装置の後方への突出量を小さくし、他の部品の配設位置の自由度を増すことができる遊技機を提供することを目的とする。
【課題を解決するための手段】
【０００７】
前記課題を克服し、所期の目的を達成するため、本願の請求項１に係る発明は、
遊技盤(10)の遊技領域(12)に、開口部(15a)を有する装飾部材(14)が配設され、この装飾部材(14)における開口部(15a)の上側に位置する上辺部(20)に可動演出装置(23)が配設される遊技機において、
前記装飾部材(14)は、前記上辺部(20)に前方へ開口する第１収容部(20a)と、該第１収容部(20a)の側部に形成されて画壁(34)により画成される第２収容部(20b)と、前記画壁(34)に形成された規制部(35)とを備え、
前記可動演出装置(23)は、
前記第２収容部(20b)に配設されて、モータ制御手段の制御下に駆動されるモータ(26)と、
前記第２収容部(20b)に配設されて、前記モータ(26)により回転される作動部材(40)と、
前記作動部材(40)に設けられ、該作動部材(40)の回転に伴って周回移動する第１係合部(40a)と、
前記装飾部材(14)に上下に揺動するよう枢支された連結部材(29)と、
前記第１収容部(20a)内に収容され、前記連結部材(29)の前端部に接続する可動体(22)と、
前記連結部材(29)に突設され、端部が第１係合部(40a)の周回領域に臨み、周回する第１係合部(40a)が下方から当接すると共に第１係合部(40a)から係合解除される第２係合部(29a)と、
前記可動体(22)に設けられ、前記規制部(35)に当接可能な突起(30c)とを備え、
前記第２係合部(29a)が第１係合部(40a)から係合解除された際に、前記規制部(35)に突起(30c)が当接する落下位置まで前記可動体(22)が自重落下するよう構成されることを特徴とする。
【０００８】
請求項１の発明によれば、可動体を移動させるモータや、該可動体の落下位置を規定する規制部を、可動体が収容される第１収容部の側方に配置することで、可動演出装置の後方への突出量を小さくし、他の部品の配設位置の自由度を増すことができる。また、可動演出装置の前後方向の設置スペースを小さくできるから、遊技盤の裏側に大型の制御装置等を配設することが可能となり、図柄表示装置の大型化に対応し得る。
前記可動体を自重落下させることで、該可動体を勢いよく動作させることができ、演出効果を向上し得る。また、可動体の落下時にはモータおよび作動部材に負荷は加わらないから、モータおよび作動部材の負担を軽減し得る。更に、突起を規制部に物理的に当接して可動体を落下位置で停止するものであって、モータの停止により可動体を落下位置で停止するものではないから、勢いよく落下する可動体を落下位置で停止する際に一般的に行なわれる、モータの負担を軽減するための減速制御は必要とせず、モータの制御も簡単になる。
【０００９】
請求項２に係る発明では、前記装飾部材(14)の開口部(15a)には、遊技盤(10)の裏側に配設した図柄表示装置(13)の表示部(13a)が臨むと共に、前記第１収容部(20a)は下方に開口し、
略矩形状に形成された前記可動体(22)は、前記第１係合部(40a)と第２係合部(29a)との係合状態で最も上昇した上昇位置では前記表示部(13a)より上方に位置すると共に、該可動体(22)の上部に設けられた前記突起(30c)が前記規制部(35)に当接した落下位置では前記表示部(13a)の前側に臨むよう構成されることを要旨とする。
請求項２の発明によれば、前記可動体が図柄表示装置の前側に臨む位置に落下することで、遊技者に可動体の動作を印象付けることができ、演出効果を向上し得る。
【００１０】
請求項３に係る発明では、前記第１係合部(40a)と第２係合部(29a)との係合状態で前記可動体(22)が最も上昇した上昇位置では、該可動体(22)の後方に配置された発光手段(45)の前側を覆い、前記可動体(22)が落下位置まで落下したときに前記発光手段(45)の前側を覆わなくなるよう構成されることを要旨とする。
請求項３の発明によれば、前記可動体が自重落下した際に発光手段の前側を該可動体で覆わなくすることで、可動体の移動により隠れていた発光手段が表れるから、該発光手段による発光演出と可動体の動作演出とによる演出効果が向上する。
【００１１】
請求項４に係る発明では、前記モータ制御手段は、前記第１係合部(40a)と第２係合部(29a)との係合状態において、前記モータ(26)を正逆回転するよう制御することを要旨とする。
請求項４の発明によれば、前記第１係合部と第２係合部との係合状態でモータを正逆回転することで、前記可動体を細かく動作させることができ、自重落下による可動体の大胆な動作とによるバリエーションに富む動作が可能となる。
【発明の効果】
【００１２】
本発明に係る遊技機によれば、可動演出装置の後方への突出量を小さくすることで、他の部品の配設位置の自由度を増すことができると共に、図柄表示装置の大型化にも対応し得る。
【発明を実施するための最良の形態】
【００１３】
次に、本発明に係る遊技機につき、好適な実施例を挙げて、添付図面を参照しながら、以下詳細に説明する。なお実施例では、遊技球としてパチンコ球を用いるパチンコ機を、遊技機の一例として説明する。また、以下の説明において前・後、左・右および上・下とは、特に断りのない限り、図１に示すようにパチンコ機を正面側から見た場合において指称するものとする。
【実施例】
【００１４】
図１に示す如く、実施例に係るパチンコ機１は、矩形枠状に形成されて外郭をなす外枠２の開口前面側に、遊技盤１０が配設される縦長方形の中枠３が開閉および着脱自在に組み付けられている。この中枠３の前面側には、遊技盤１０を透視保護するガラス板を備えた前枠４が開閉可能に組み付けられると共に、該前枠４の下方位置にパチンコ球を貯留する上球皿５が配設されている。なお、前記中枠３における上球皿５の下方位置に、上球皿５に貯留しきれないパチンコ球を貯留する下球皿６が配設されている。また、中枠３における下球皿６の右側には、回動操作可能なハンドル部材７が配設されており、該ハンドル部材７の回動操作により中枠３に配設された打球発射装置(図示せず)が作動して、上球皿５に貯留したパチンコ球が遊技盤１０の遊技領域１２に向けて打出されるようになっている。
【００１５】
前記遊技盤１０は、その前面側に、略円形状に湾曲形成したレール１１により前記遊技領域１２が画成されて、該遊技領域１２の上方位置に、遊技盤１０の裏側に配設される図柄表示装置１３が臨む大型の装飾部材(所謂センター役物)１４が配設されている。この装飾部材１４は、前記遊技領域１２の左右幅方向の大部分を占める横長の枠状本体１５に、所要の意匠を施した装飾部品や発光体等を配設して構成され、遊技盤１０に開設した装着孔(図示せず)に枠状本体１５を前側から挿入したもとでネジ止めされる。そして、前記枠状本体１５の略中央位置に開設した開口部１５ａを介して、前記図柄表示装置１３の表示部１３ａが遊技盤１０の前側に臨むようになっている。図柄表示装置１３は、図示しない制御装置の制御下に表示部１３ａで各種図柄を変動表示することで表示演出(図柄組合わせゲーム)を行なうよう構成される。また、前記遊技領域１２における前記装飾部材１４の下方位置には、遊技領域１２を流下するパチンコ球が入賞可能な始動入賞具１６が配設され、該始動入賞具１６の下側に、前記図柄表示装置１３での図柄組合わせゲームの結果により開放する特定入賞装置１７を配設してある。更に、前記遊技領域１２の左右両側部には、図柄表示装置１３での図柄組合わせゲームに応じて照射パターンを変更して発光演出を行なう電飾装置１８や普通入賞装置１９が配設されている。
【００１６】
前記枠状本体１５における前記開口部１５ａの上側に位置する上辺部２０には、図３に示す如く、前方および後方に開口する第１収容部２０ａが、左右方向に所定長さで形成されている。この第１収容部２０ａは、下方にも開口している。また上辺部２０には、第１収容部２０ａの左方に、後方および第１収容部２０ａに向けて開口する第２収容部２０ｂが画成されており、該第２収容部２０ｂの前側は、枠状本体１５に配設された装飾部品２１により覆われている。そして、上辺部２０における第１収容部２０ａおよび第２収容部２０ｂに対応する位置に、所定方向に動作可能な可動体２２を備えた可動演出装置２３が配設されており(図２参照)、前記図柄表示装置１３で行なわれる図柄変動ゲームに合わせて該可動体２２を動作させることで、遊技の興趣を向上するよう構成してある。なお、第２収容部２０ｂの下側は、上辺部２０を構成する壁部材で塞がれている。
【００１７】
前記可動演出装置２３は、図３および図４に示すように、前記枠状本体１５の上辺部２０に位置決めされるケース体２４と、ケース体２４の前側に臨み、該ケース体２４に回動自在に枢支された回動軸２５を中心として上下方向へ揺動可能な前記可動体２２と、該可動体２２を動作させる駆動手段としてのモータ２６とから基本的に構成される。そして、可動演出装置２３は、前記ケース体２４が第１収容部２０ａの後方に臨む状態で上辺部２０に配設固定され、この状態で前記可動体２２が第１収容部２０ａ内に完全に収容された状態および一部が下方に突出した状態に移動可能になっている。
【００１８】
前記ケース体２４は、図６に示す如く、後方に開放する箱状に形成されると共に、少なくとも前壁は透明または半透明で光が透過可能に構成されており、該ケース体２４の前壁が、上辺部２０における第１収容部２０ａの後方開口の全体を塞ぐように臨んでいる。ケース体２４の前面には、図４に示す第１装飾板部材２７が配設される。この第１装飾板部材２７は、ケース体２４の前面の略全域を覆う後透光板４７と、パチンコ機のモチーフに関連する形状に形成されて後透光板４７の前面に配設された前透光板４８とで構成される。両透光板４７,４８は、何れも光を透過可能な材料で形成されている。なお、実施例では、後透光板４７および前透光板４８の光透過率が異なるよう設定してある。また、ケース体２４および両透光板４７,４８に、各種の光拡散処理を施し、後述する第１および第２ＬＥＤ４３,４５の発光時に光を拡散し得るようにするのが好適である。
【００１９】
前記ケース体２４における上下方向の所定位置には、図６および図８に示す如く、前方に開口して左右方向に延在する軸収容部２８が、後方に向けて凹設されており、該軸収容部２８内に、前記回動軸２５が収容状態で回動自在に枢支されている。回動軸２５には、軸方向の両端部近傍に軸受部材５０,５０が回動自在に外嵌され、各軸受部材５０が、軸収容部２８に形成した対応する軸保持部２８ｂに保持されている。なお、ケース体２４における軸収容部２８に対応する前側に、該軸収容部２８を前側から覆うと共に軸保持部２８ｂ,２８ｂとの間で軸受部材５０,５０を保持する軸保持板５１が配設される。
【００２０】
前記回動軸２５における軸方向の両端部には、連結部材２９の後端部が夫々連結されて、一対の連結部材２９,２９は平行な関係で前方に向けて延出すると共に、回動軸２５と共に一対の連結部材２９,２９が回動するよう構成される。そして、両連結部材２９,２９の前端部が、前記可動体２２の左右両側部に接続されており、連結部材２９,２９が上下方向に揺動する際には可動体２２も一体的に上下方向に揺動するようになっている。なお、両連結部材２９,２９は、可動体２２に対しては回動自在に接続されて、可動体２２が同じ姿勢で平行移動するのを許容するよう構成してある(図８参照)。また、ケース体２４における各連結部材２９の下方に臨む対応位置に、後述するガイド溝３５によって可動体２２が位置規定(第２位置)された際に連結部材２９が干渉するのを防止する傾斜面２８ｃが形成される。更に、該傾斜面２８ｃには、後述するように可動体２２が第２位置まで落下した際に連結部材２９が接触して衝撃を緩和する緩衝部材５２が配設してある。
【００２１】
前記可動体２２は、図５に示す如く、前方に開放する箱状の容器３０と、該容器３０に収容された可動体用基板３１と、該可動体用基板３１の前側に位置して容器３０の前部を覆う第２装飾板部材３２とを備え、正面視において略矩形状に形成されている。可動体用基板３１には、前方へ光を照射可能な第１発光手段としての可動体用ＬＥＤ３３が複数実装されており、該可動体用ＬＥＤ３３はパチンコ機の裏側に配設された図示しない発光制御手段からの制御信号に基づいて発光するよう構成される。第２装飾板部材３２は、光透過性の材料から形成された複数(実施例では３枚)の板部材３２ａ,３２ｂ,３２ｃから構成され、可動体用ＬＥＤ３３から照射された光が各板部材３２ａ,３２ｂ,３２ｃを透過して前方に照射されるようになっている。なお、各板部材３２ａ,３２ｂ,３２ｃとして、パチンコ機のモチーフに関連する文字や図形が描かれた部分のみを光透過性のある材料から形成し、可動体用ＬＥＤ３３が発光した際に該当する文字や図形部分のみが明輝するよう構成してもよい。また、各板部材３２ａ,３２ｂ,３２ｃに、各種の光拡散処理を施し、可動体用ＬＥＤ３３の発光時に光を拡散し得るようにすることが好適である。
【００２２】
前記可動体２２の上下寸法は、前記第１収容部２０ａの上下方向の開口寸法より短かく設定されており、可動演出装置２３を前記上辺部２０に配設した状態において、可動体２２の全体が前記第１収容部２０ａに収容可能に構成される(図１,図２参照)。また可動体２２の上下寸法は、前記第１装飾板部材２７の上下寸法より短かく設定されて、前側に臨む可動体２２によって第１装飾板部材２７の全体が隠れることがないようになっている。
【００２３】
前記可動体２２は、前記モータ２６により回転される後述する作動部材４０によって、上方の第１位置(上昇位置)と、下方の第２位置(落下位置)との間を移動可能に構成される。第１位置は、図１０(ａ)に示す如く、可動体２２の全体が前記第１収容部２０ａ内に収容された位置に設定されると共に、第２位置は、図１０(ｂ)に示す如く、可動体２２の下部側の一部が第１収容部２０ａ内から下方に延出して、該可動体２２の下部が前記図柄表示装置１３における表示部１３ａの前側に臨む位置に設定される。なお、可動体２２の第１位置および第２位置の間の移動量は、可動体２２の上下寸法より小さく設定され、該可動体２２が第１位置、第２位置および両位置を移動する間の何れの位置に臨む状態においても、可動体２２が前記第１装飾板部材２７の前側に重なる部位が生ずるように設定されている。すなわち、第１装飾板部材２７においては、可動体２２が第１位置(図８の実線位置)、第２位置(図８の二点鎖線位置)および両位置を移動する間の何れの位置においても、該可動体２２の後方に重なる非露出部位Ｓが存在する。そして、前記軸収容部２８は、該非露出部位Ｓに位置するように前記ケース体２４に形成されて、該軸収容部２８に収容されている回動軸２５は、常に可動体２２の後方に重なるようになっている。
【００２４】
前記可動体２２の容器３０における左右の両側壁３０ａ,３０ｂに前記連結部材２９,２９の前端部が夫々枢支されると共に、左側壁３０ａにおける連結部材２９との枢支位置より上部に、左方に突出する突起３０ｃが回動自在に設けられている(図５参照)。また、前記ケース体２４の左側に、左方に開口するケーシング３４がネジ止め固定されている。このケーシング３４は、可動演出装置２３を前記上辺部２０に配設した際に、前記第２収容部２０ｂに収容されて、該第２収容部２０ｂと前記第１収容部２０ａとを画成する画壁として該ケーシング３４が機能する。ケーシング３４には、右方に開口して上下方向に延在するガイド溝３５が形成されており、該ガイド溝３５に、前記突起３０ｃが挿入されている。前記ガイド溝３５は、前記可動体２２が、その前面が遊技盤１０の盤面と平行な姿勢を維持したまま上下方向に揺動する際における突起３０ｃの揺動軌跡に沿う弧状に形成されている。すなわち、可動体２２が揺動する際には、ガイド溝３５に沿って突起３０ｃが誘導されることで、可動体２２は一定の姿勢で安定して揺動するようになっている。
【００２５】
前記ケーシング３４の左側開口部を覆うように配設された取付板３６に、前記モータ２６が、出力軸を右方に向けた横向き姿勢で配設されている。モータ２６におけるケーシング３４内に延出する出力軸に、駆動ギヤ３８が一体回転するよう連結される(図９参照)。またケーシング３４内に従動ギヤ３９が回動自在に枢支されており、該従動ギヤ３９に前記駆動ギヤ３８が噛合している。この従動ギヤ３９に、作動部材４０が一体回転するよう設けられており、モータ２６の駆動によって両ギヤ３８,３９が回転することで、作動部材４０も一体回転する。なお、モータ２６としては正逆回転可能なモータが採用され、図示しないモータ制御手段の制御下に該モータ２６が正逆回転可能に構成されている。
【００２６】
前記作動部材４０における右側面には、該作動部材４０の回転中心を基点として径方向外方に延在する第１係合部４０ａが軸方向に突設され(図９参照)、該第１係合部４０ａは作動部材４０の回転に伴って周回移動するよう構成される。また、前記可動体２２の左側壁３０ａに接続された連結部材２９には、前記回動軸２５および作動部材４０との枢支位置の間に、左方に突出する第２係合部２９ａが設けられている。第２係合部２９ａの端部は、前記ケーシング３４に形成した通孔３４ａを介してケーシング３４内に延出している。この第２係合部２９ａの端部は、第１係合部４０ａの周回移動軌跡における該第１係合部４０ａが下方から上方へ移動する領域に臨んで、該第１係合部４０ａが下方から係合可能に構成してある。すなわち、モータ２６により作動部材４０が回転し、第１係合部４０ａが第２係合部２９ａに下方から当接して連結部材２９が押し上げられることで可動体２２が第１位置に移動し(図９(ａ)参照)、第１係合部４０ａの周回移動に伴って第２係合部２９ａが第１係合部４０ａから係合解除された際に、可動体２２が自重によって落下するよう構成される。なお、可動体２２が落下した際には、前記突起３０ｃがガイド溝３５の下端縁に当接して落下が規制され、これによって可動体２２が第２位置に位置決めされるようになっている(図９(ｂ)参照)。また前記両連結部材２９,２９は、突起３０ｃがガイド溝３５の下端縁に当接した際に前記緩衝部材５２,５２に接触するよう設定される。すなわち、ガイド溝３５が、可動体２２の上下動を案内すると共に第２位置を規定する規制部として機能する。
【００２７】
前記作動部材４０には、所定位置に検出片(図示せず)が設けられ、該検出片を検出可能な原点センサ４１が、前記ケーシング３４に配設されている。この原点センサ４１としては、例えば発光部と受光部とを備える光電センサが採用され、発光部と受光部との間に検出片が到来したときに、作動部材４０の原点位置を検出し、その検出信号を前記モータ制御手段に出力するよう構成される。実施例では、前記第１係合部４０ａと第２係合部２９ａとが係合し、かつ前記可動体２２が第１位置と第２位置との間の中間位置に臨んだ状態で、原点センサ４１が検出片を検出するように、該検出片の位置が設定されている。そして、モータ制御手段は、原点センサ４１からの検出信号に基づいて前記モータ２６を正逆回転するよう制御して可動体２２を上下に細かく移動させたり、可動体２２を第１位置まで移動した後にモータ２６を停止させるように制御する。なお、前記第１位置は、原点センサ４１が検出片を検出した中間位置を原点としてモータ２６の回転数や回転角度、あるいはモータ制御用パルス数等によって設定される。また、原点センサ４１としては、実施例のような光電センサに代えて磁気式等他の非接触式のセンサや、あるいはリミットスイッチ等の接触式のセンサを適宜に採用し得る。
【００２８】
前記可動演出装置２３のケース体２４には、図６および図８に示す如く、前記軸収容部２８で分けられて、該軸収容部２８の下方に臨むケース体２４の裏面下側に第１基板４２が配設されている。第１基板４２には、前方へ光を照射可能な第２発光手段としての第１ＬＥＤ４３が複数実装されており、該第１ＬＥＤ４３は前記発光制御手段からの制御信号に基づいて発光するよう構成される。またケース体２４には、前記軸収容部２８で分けられて、該軸収容部２８の上方に臨むケース体２４の裏面上側に第２基板４４が配設されている。第２基板４４には、前方へ光を照射可能な第２発光手段としての第２ＬＥＤ４５が複数実装されており、該第２ＬＥＤ４５も前記発光制御手段からの制御信号に基づいて発光するよう構成される。
【００２９】
前記第１基板４２に配設された第１ＬＥＤ４３は、図８に示す如く、第１位置に臨む可動体２２の後方に上側の一部のみが重なって下側の大部分が重ならず、かつ可動体２２が第２位置に移動した際には該可動体２２の後方に全部が重なる位置に臨むよう配置されている。また、前記第２基板４４の下部側に配設された第２ＬＥＤ４５については、図８に示す如く、第１位置に臨む可動体２２の後方に重なり、かつ可動体２２が第２位置に移動した際には該可動体２２の後方に重ならない位置(可動体２２の動作によって露出する第１装飾板部材２７の部分に対応する位置)に配置されている。これに対し、第２基板４４の上部側に配設された第２ＬＥＤ４５は、可動体２２が第１位置、第２位置および両位置の間のどの位置にあっても該可動体２２の後方に重ならない位置に配置される。すなわち、第２基板４４においては、常に可動体２２で隠れない領域(常に表われている上部側領域)に配置された第２ＬＥＤ４５と、可動体２２の移動によって隠れたり表われたりする領域(下部側領域)に配置された第２ＬＥＤ４５とが存在している。なお、第１基板４２に対し、第１位置に臨む可動体２２の後方に全部が重ならず、かつ可動体２２が第２位置に移動した際には該可動体２２の後方に全部が重なる位置に第１ＬＥＤ４３を配置してもよい。
【００３０】
前記第１装飾板部材２７およびケース体２４には、図６に示す如く、前記可動体用基板３１(可動体用ＬＥＤ３３)に設けたコネクタ３１ａに一端が電気的に接続するケーブル４６の挿通を許容する挿通口４７ａ,４８ａ,２４ａが前後に貫通するよう形成されている。ケース体２４の挿通口２４ａと、第１装飾板部材２７の挿通口４７ａ,４８ａは前後に整列している。また全ての挿通口４７ａ,４８ａ，２４ａは、図８に示す如く、前記可動体２２が常に前側に重なる位置である非露出部位Ｓに位置するよう設定されて、該挿通口４７ａ,４８ａ,２４ａおよびケーブル４６が、可動体２２で隠されて前側から視認し難いようにしてある。実施例では、前記挿通口４７ａ,４８ａ,２４ａは、前記軸収容部２８の下側に位置する非露出部位Ｓに位置し、挿通口４７ａ,４８ａ,２４ａに挿通されてケース体２４の裏側に導出されたケーブル４６の他端が、前記第２基板４４に設けたコネクタ４４ａに電気的に接続される。すなわち、挿通口４７ａ,４８ａ,２４ａに挿通されてケース体２４の裏側に導出されたケーブル４６は、軸収容部２８を挟んで挿通口４７ａ,４８ａ,２４ａが形成されていない側(上側)に配設される第２基板４４に接続されるようになっている。なお、第２基板４４は、前記発光制御手段に図示しない配線を介して電気的に接続されており、該発光制御手段からの制御信号が、第２基板４４およびケーブル４６を介して可動体用基板３１に送られて、前記可動体用ＬＥＤ３３が発光制御されるよう構成される。すなわち、第２基板４４は、発光制御手段と可動体用基板３１とを連絡する中継基板としても機能するようになっている。
【００３１】
前記軸収容部２８の下側に位置する第１基板４２には、ケース体２４の挿通口２４ａと前後に整列(対応)する位置に、上方に開口する切欠部４２ａが形成されている。また軸収容部２８における上下に位置する両基板４２,４４より後方に突出する裏面に、後方および上下方向に開口する溝２８ａが形成してある。そして、ケース体２４の挿通口２４ａから裏側に導出されたケーブル４６は、図８に示す如く、第１基板４２の切欠部４２ａおよび軸収容部２８の溝２８ａで案内されて第２基板４４に導びかれるようになっている。
【００３２】
前記容器３０の内側には、ケーブル４６における可動体用基板３１にコネクタ接続される端部近傍を該基板３１との間で押さえる第１ケーブル押え４９が配設され、ケーブル４６が移動する際にコネクタ３１ａとの接続部に負荷が加わるのを該第１ケーブル押え４９によって防止するよう構成される。また容器３０の裏面には、後方に延出するケーブル４６の上方に臨む位置に第２ケーブル押え５３が配設され、第２ケーブル押え５３は、ケーブル４６の浮き上がりを防止するべく機能する。更に、前記ケース体２４の裏面には、ケーブル４６における第２基板４４にコネクタ接続される端部近傍を該基板４４との間で押える第３ケーブル押え５４が配設され、ケーブル４６が移動する際にコネクタ４４ａとの接続部に負荷が加わるのを該第３ケーブル押え５４によって防止するよう構成される。
【００３３】
〔実施例の作用〕
次に、前述した実施例に係る遊技機の作用につき説明する。なお、前記可動演出装置２３では、図９(ａ)に示すように前記第１係合部４０ａが第２係合部２９ａに下方から係合して、前記可動体２２は図１０(ａ)に示す第１位置に保持されているものとする。可動体２２が第１位置に臨む状態では、図７および図８に示す如く、前記第１基板４２に配設されている第１ＬＥＤ４３の下部および第２基板４４の上部側領域に配設されている第２ＬＥＤ４５が、可動体２２の後方に重ならない下側または上側に臨んでいる。従って、当該第１ＬＥＤ４３および第２ＬＥＤ４５を発光制御手段の制御下に発光することで、可動体２２の上下位置において発光演出を行なうことができる。このとき、可動体２２に配設した可動体用ＬＥＤ３３を発光制御手段の制御下に発光することで、更に興趣のある発光演出が可能となる。また、前記ケーブル４６および該ケーブル４６を裏側に挿通するための挿通口４７ａ,４８ａ,２４ａは、第１位置に臨む可動体２２で隠れているから、見栄えの低下は防止される。
【００３４】
前記遊技盤１０の遊技領域１２に打出されたパチンコ球が前記始動入賞具１６に入賞すると、前記図柄表示装置１３において所要の図柄変動ゲームが行なわれる。そして、所要の制御条件に基づいて前記モータ２６が作動し、前記作動部材４０が回転すると、図９(ｂ)に示す如く、前記第２係合部２９ａに係合していた第１係合部４０ａが該第２係合部２９ａから離間し、両係合部２９ａ,４０ａの係合状態が解除することで前記可動体２２が前記回動軸２５を中心として下方に移動する。このとき、可動体２２は自重によって落下するから、該可動体２２は第１位置から第２位置に向けて勢いよく移動し、視覚的な演出効果が向上され、遊技の興趣を増大させ得る。しかも、第２位置においては、図１０(ｂ)に示すように可動体２２の下部が、前記図柄表示装置１３における表面部１３ａの前側に臨むから、遊技者に可動体２２の動作を印象付けることができ、演出効果を向上し得る。
【００３５】
前記可動体２２が第１位置から第２位置へ向けて移動する際には、前記突起３０ｃがガイド溝３５に沿って誘導されるから、該可動体２２は遊技盤面と平行な姿勢で安定して移動する。また、可動体２２に対して突起３０ｃは回動自在に配設してあるから、突起３０ｃがガイド溝３５に沿って誘導する際の抵抗は小さく、可動体２２のスムースな移動が達成される。そして、前記可動体２２の突起３０ｃが、ガイド溝３５の下端縁に当接することで、該可動体２２は第２位置に保持される。このように可動体２２は、突起３０ｃとガイド溝３５の下端縁との物理的な当接によって第２位置に保持されるものであって、モータ２６を停止することで第２位置に停止保持するものではない。従って、勢いよく移動する物体を停止する際に一般に行なわれるモータ２６を減速制御する等の煩雑な制御を行なう必要はなく、モータ２６や前記作動部材４０に加わる負荷を軽減し得る。また、可動体２２が第１位置から第２位置へ落下したときに、前記連結部材２９,２９は、前記容器３０に配設した緩衝部材５２,５２に接触し、落下の衝撃が緩和されて衝撃による負荷は軽減される。
【００３６】
前記可動体２２が第２位置に移動すると、図１０(ｂ)に示すように、可動体２２の上側において、前記第１装飾板部材２７における該可動体２２で隠れていた部分が露出される。この露出部分に対応する前記第２基板４４の下部側領域に第２ＬＥＤ４５が配設されているから、該第２ＬＥＤ４５を発光することで、第１装飾板部材２７の可動体２２で隠されていた状態から露出した部分で発光演出を行なうことができ、可動体２２の第１位置から第２位置への動作演出と相俟って、高い演出効果が期待できる。また、前記ケーブル４６および該ケーブル４６を裏側に挿通するための挿通口４７ａ,４８ａ,２４ａは、第２位置に臨む可動体２２で隠れているから、見栄えの低下は防止される。更に、可動体２２が第１位置から第２位置へ移動する間も、当該可動体２２によってケーブル４６および挿通口４７ａ,４８ａ,２４ａは隠されているから、見栄えが低下することはない。
【００３７】
前記作動部材４０の回転により、第２位置に臨んでいる可動体２２に接続されている連結部材２９の第２係合部２９ａに、前記第１係合部４０ａが下方から当接すると、可動体２２は第２位置から上方へ移動する。第１係合部４０ａによって押し上げられる可動体２２が中間位置に到来すると、前記検出片が原点センサ４１で検出され、該検出信号がモータ制御手段に出力される。モータ制御手段は、検出信号に基づいて可動体２２を第１位置まで移動した後にモータ２６を停止するように制御する。
【００３８】
前記可動体２２が第２位置から第１位置に移動すると、図１０(ａ)に示すように、該可動体２２の下側において、前記第１装飾板部材２７における該可動体２２で隠れていた部分が露出する。この露出部分に対応する前記第１基板４２に第１ＬＥＤ４３が配設されているから(図７,図８参照)、該第１ＬＥＤ４３を発光することで、第１装飾板部材２７の可動体２２で隠されていた状態から露出した部分で発光演出を行なうことができ、可動体２２の第２位置から第１位置への動作演出と相俟って、高い演出効果が期待できる。また、可動体２２が第２位置から第１位置へ移動する際には、可動体２２が第１位置から第２位置に移動する際に露出した第１装飾板部材２７の対応部分が再び隠される。
【００３９】
なお、前記原点センサ４１からの検出信号に基づき、モータ制御手段でモータ２６を正逆回転するよう制御することで、前記可動体２２は第１位置と第２位置との間の中間位置を基点として上下に細かく揺動できる。このように可動体２２を細かく揺動することで、該可動体２２によって第１ＬＥＤ４３および第２ＬＥＤ４５が隠れたり表われたりし、可動体２２の揺動による演出と、各ＬＥＤ４３,４５による発光演出との相乗効果が期待できる。また、ＬＥＤ４３,４５を点灯した状態で、可動体２２の動作によって光が消えたり見えたりするので、ＬＥＤ４３,４５を点滅する制御を行なう場合に比して発光制御が簡単になると共に、ＬＥＤ４３,４５の寿命を長くすることができる。
【００４０】
前記モータ２６は、図柄表示装置１３で行なわれる図柄変動ゲームに応じて、モータ制御手段で制御されるものであり、前記作動部材４０を１回転して停止、複数回転して停止、あるいは前記第１係合部４０ａと第２係合部２９ａとが係合した状態で、所定角度で正逆回転させる制御等を組合わせて実施することができる。すなわち、可動体２２が第１位置から第２位置へ自重によって一気に移動する大胆な動作と、可動体２２が所定角度範囲で細かく揺動される動作とによるバリエーションに富む動作演出が可能となる。
【００４１】
前記可動演出装置２３では、前記第１装飾板部材２７およびケース体２４における可動体２２で常に隠される非露出部位Ｓに、該可動体２２を支持する回動軸２５が配設されている(図８,図１０参照)。すなわち、スペース的に発光手段を配設することが困難である回動軸２５の前側は、可動体２２によって常に隠される位置となっているから、可動体２２が移動した際に発光手段が存在しない領域が表われるのをなくすことができる。しかも、可動体２２には可動体用ＬＥＤ３３が配設されているから、回動軸２５の前側においても、該可動体用ＬＥＤ３３で発光演出ができる。
【００４２】
また、前記可動演出装置２３は、可動体２２を移動させるモータ２６および可動体２２を誘導すると共に第２位置を規定するガイド溝３５を、可動体２２が収容される第１収容部２０ａの側方に画成されている第２収容部２０ｂに収容したから、可動演出装置２３の後方への突出量を小さくすることができる。すなわち、可動演出装置２３の後方に、パチンコ機を構成する制御装置やその他の部品を配置することが可能となり、部品配置の自由度が増す。また、パチンコ機の前後寸法を大きくすることなく、遊技盤１０の裏側に大型の制御装置を配設することが可能となり、図柄表示装置１３の大型化にも対応し得る。
【００４３】
前記可動体２２の可動体用基板３１に一端がコネクタ接続されたケーブル４６は、前記軸収容部２８の下側に臨む第１装飾板部材２７およびケース体２４の挿通口４７ａ,４８ａ,２４ａに挿通されて裏側に導出され、該ケーブル４６の他端が、前記軸収容部２８の上側に臨む第２基板４４にコネクタ接続されている。すなわち、ケース体２４の裏側において、基板４２,４４より後方に突出してる軸収容部２８を跨いでケーブル４６が引き回されるから、該ケーブル４６に十分な遊びを持たせて配線することができる。従って、可動体２２の上下動によってケーブル４６が引張られて、可動体用基板３１や第２基板４４のコネクタ３１ａ,４４ａから外れるのを防止し得る。また、ケース体２４の挿通口２４ａから裏側に導出されたケーブル４６は、前記第１基板４２の切欠部４２ａおよび軸収容部２８の溝２８ａで左右方向の移動が規制された状態で案内されるようになっている。すなわち、可動体２２の上下動に伴ってケーブル４６が長手方向に移動する際に、該ケーブル４６が左右方向(幅方向)に移動するのは切欠部４２ａおよび溝２８ａで規制されるから、該ケーブル４６が左右方向に移動して他の部材に引掛かることはなく、可動体２２の円滑な移動が達成される。
【００４４】
更に、前記ケーブル４６における可動体用基板３１にコネクタ接続される端部近傍および第２基板４４にコネクタ接続される端部近傍を、当該基板３１,４４とケーブル押え４９,５４とで挟持しているので、前記可動体２２の上下動に際してケーブル４６が引張られてコネクタ３１ａ,４４ａから抜けるのは防止される。また可動体２２の後方に延出するケーブル４６の上方への浮き上がりは、可動体２２に配設した第２ケーブル押え５３で防止されているから、可動体２２が上昇する際にケーブル４６が必要以上に上方に移動して他の部材に引掛かるのは防止される。
【００４５】
前記第１装飾板部材２７およびケース体２４の挿通口４７ａ,４８ａ,２４ａと、第１基板４２の切欠部４２ａとは前後に整列しているから、ケーブル４６の前後方向への挿通が容易で作業性は良好である。またケーブル４６を、挿通口４７ａ,４８ａ,２４ａを介して裏側に最短距離で挿通することができ、短い長さのケーブル４６でも裏側で十分な遊びを持たせることが可能となる。なお、可動体用基板３１に接続するケーブル４６を、前記発光制御手段に直接接続することなく、中継基板としても機能する第２基板４４に接続しているから、可動体２２の上下動に伴って移動するケーブル４６を短かくすることができ、該ケーブル４６の配線処理が簡単になる。
【００４６】
〔変更例〕
本発明に係る遊技機としては、前述した実施例のものに限られるものではなく、種々の変更が可能である。
(1) 実施例では、装飾部材と回動軸を支持するケース体とを別体で構成したが、装飾部材にケース体を一体に設ける構成を採用することができる。すなわち、可動演出装置を上辺部に配設するための取付部として機能するケース体を、装飾部材の一部として構成することが可能である。また、第１収容部と第２収容部とを画成するケーシングについても、装飾部材に一体に形成することができる。
(2) 実施例では、ケース体の前面に第１装飾板部材を配設したが、該第１装飾板部材を省略し、ケース体の前面に一体的に各種の装飾を施す構成を採用し得る。
(3) 実施例では、軸収容部で分けられるケース体裏側の上下両側に第２発光手段としての第１ＬＥＤおよび第２ＬＥＤを配設した場合で説明したが、軸収容部で分けられるケース体裏側の上下何れか一方の側に第２発光手段を配設する構成を採用し得る。
(4) 実施例では、ケース体における軸収容部より下側の位置に挿通口を形成し、該挿通口を介して裏側に導出したケーブルを、ケース板における軸収容部より上側の位置に配置した第２基板に接続するよう構成したが、逆の構成であってもよい。すなわち、ケース体における軸収容部より上側の位置に挿通口を形成すると共に、該ケース体における軸収容部より下側の位置に第２基板を配設し、挿通口を介して裏側に導出したケーブルを、ケース体における軸収容部より下側の位置に配置した第２基板に接続するようにしてもよい。この構成の場合は、軸収容部より上側に配設した第１基板に、下方に開口する切欠部を形成すれば、挿通口を介して裏側に導出されて下方に引き回されるケーブルの左右方向の位置規制を該切欠部で行なうことができる。
(5) 実施例では、第１収容部の左側に第２収容部を画成した場合で説明したが、第２収容部は第１収容部の右側に画成されるものであってもよい。この構成の場合は、可動演出装置の構成は、実施例とは左右対称となる。
(6) 可動体の形状に関しては、図柄表示装置における図柄変動ゲームに関連する意匠等、任意に決定することができる。
(7) 実施例では、遊技機としてパチンコ機を採用したが、アレンジボール機やスロットマシン機やパチンコ式スロットマシン等であってもよい。
【図面の簡単な説明】
【００４７】
【図１】実施例に係るパチンコ機を示す正面図である。
【図２】実施例に係る装飾部材を、可動演出装置を配設した状態で示す概略斜視図である。
【図３】実施例に係る装飾部材を、可動演出装置を分離した状態で示す概略斜視図である。
【図４】実施例に係る可動演出装置を分解した状態で示す概略斜視図である。
【図５】実施例に係る可動体を分解した状態で示す概略斜視図である。
【図６】実施例に係る装飾部材を縦断した状態で示す要部概略斜視図である。
【図７】実施例に係る可動体を第１位置に保持した状態における可動体用基板と第１基板および第２基板の関係を示す概略正面図である。
【図８】実施例に係る可動演出装置を縦断して示す概略側面図である。
【図９】実施例に係る可動演出装置の要部を示す概略斜視図であって、(ａ)は可動体を第１位置に保持した状態を示し、(ｂ)は可動体が第２位置まで落下した状態を示す。
【図１０】実施例に係る装飾部材の要部を示す概略正面図であって、(ａ)は可動体を第１位置に保持した状態を示し、(ｂ)は可動体が第２位置まで落下した状態を示す。
【符号の説明】
【００４８】
１０  遊技盤
１２  遊技領域
１３  図柄表示装置
１３ａ  表示部
１４  装飾部材
１５ａ  開口部
２０  上辺部
２０ａ  第１収容部
２０ｂ  第２収容部
２２  可動体
２３  可動演出装置
２６  モータ
２９  連結部材
２９ａ  第２係合部
３０ｃ  突起
３４  ケーシング(画壁)
３３  第１ＬＥＤ(第１発光手段)
３５  ガイド溝(規制部)
４０  作動部材
４０ａ  第１係合部
４５  第３ＬＥＤ(発光手段)
【図１】
0005085374.tif 000002
【図２】
0005085374.tif 000003
【図３】
0005085374.tif 000004
【図４】
0005085374.tif 000005
【図５】
0005085374.tif 000006
【図６】
0005085374.tif 000007
【図７】
0005085374.tif 000008
【図８】
0005085374.tif 000009
【図９】
0005085374.tif 000010
【図１０】
0005085374.tif 000011